(57)【要約】【課題】利用時間帯、利用場所などの条件により広告を選択的に表示でき、充分な広告効果を得ると共に、広告効果に応じた広告料を算出することができる広告表示管理システム、広告表示管理方法及び広告表示管理プログラムを記録した記録媒体を提供する。【解決手段】広告表示管理システムは、広告情報選択手段１１１が、情報記憶表示媒体から読み出された情報を基にユーザ情報記憶手段１１５から該当するユーザ情報を読み出し、該ユーザ情報に基づいて広告情報データベース１１８，１１９，１２０，１２１に記憶された広告情報を選択し、表示情報更新手段１０９が、選択した広告情報により情報記憶表示媒体に表示する広告情報を更新し、広告料金算出手段１１３が、前もって定められた算出方法に基づき広告効果に応じた広告料金を算出する。【選択図】図１
2009032268.tif 000002
【特許請求の範囲】
【請求項１】
広告情報を表示可能な表示部を有する可搬記憶媒体と、
前記可搬記憶媒体に記憶された情報を読み出す１又は複数の端末と、前記端末を管理する情報管理装置とを備える広告表示管理システムにおいて、
複数種類の広告情報を記憶する広告情報記憶手段と、
前記可搬記憶媒体から読み出された情報に基づいて前記広告情報記憶手段に記憶された広告情報を選択する選択手段と、
前記選択した広告情報により前記可搬記憶媒体に表示する広告情報を更新する更新手段と
を備えることを特徴とする広告表示管理システム。
【請求項２】
広告情報を表示可能な表示部を有する可搬記憶媒体と、
前記可搬記憶媒体に記憶された情報を読み出す１又は複数の端末と、前記端末を管理する情報管理装置とを備える広告表示管理システムにおいて、
前記可搬記憶媒体を利用するユーザの情報を記憶するユーザ情報記憶手段と、
複数種類の広告情報を記憶する広告情報記憶手段と、
前記可搬記憶媒体から読み出された情報を基に前記ユーザ情報記憶手段から該当するユーザ情報を読み出し、該ユーザ情報に基づいて前記広告情報記憶手段に記憶された広告情報を選択する選択手段と、
前記選択した広告情報により前記可搬記憶媒体に表示する広告情報を更新する更新手段と
を備えることを特徴とする広告表示管理システム。
【請求項３】
広告情報を表示可能な表示部を有する可搬記憶媒体と、
前記可搬記憶媒体に記憶された情報を読み出す１又は複数の端末と、前記端末を管理する情報管理装置とを備える広告表示管理システムにおいて、
前記端末が設置されている位置情報を記憶する位置記憶手段と、
複数種類の広告情報を記憶する広告情報記憶手段と、
前記可搬記憶媒体から読み出された情報を基に前記位置情報記憶手段から前記可搬記憶媒体が使用された位置情報を読み出し、該位置情報に基づいて前記広告情報記憶手段に記憶された広告情報を選択する選択手段と、
前記選択した広告情報により前記可搬記憶媒体に表示する広告情報を更新する更新手段と
を備えることを特徴とする広告表示管理システム。
【請求項４】
広告情報を表示可能な表示部を有する可搬記憶媒体と、
前記可搬記憶媒体に記憶された情報を読み出す１又は複数の端末と、前記端末を管理する情報管理装置とを備える広告表示管理システムにおいて、
前記端末の番号と関連付けた複数種類の広告情報を記憶する広告情報記憶手段と、
前記可搬記憶媒体から情報を読み出した端末の番号に基づいて前記広告情報記憶手段に記憶された広告情報を選択する選択手段と、
前記選択した広告情報により前記可搬記憶媒体に表示する広告情報を更新する更新手段と
を備えることを特徴とする広告表示管理システム。
【請求項５】
さらに、前記可搬記憶媒体に表示する広告情報の更新を行う時刻情報を算出する計時手段を備え、
前記選択手段は、前記計時手段により算出された前記時刻情報に基づいて前記広告情報記憶手段に記憶された広告情報を選択する
ことを特徴とする請求項１乃至４のいずれか一項に記載の広告表示管理システム。
【請求項６】
さらに、所定の算出方法に基づいて広告料金を算出する広告料金算出手段を備えることを特徴とする請求項１乃至４のいずれか一項に記載の広告表示管理システム。
【請求項７】
前記広告料金算出手段は、前記更新した広告情報の掲載履歴を計数し広告表示回数として記憶する広告履歴手段と、
前記広告履歴手段により計数した広告表示回数を用いて広告表示数効果を算出する広告回数効果算出手段とを備え、
前記広告表示回数と前記広告表示数効果を用いて広告料金を算出することを特徴とする請求項６記載の広告表示管理システム。
【請求項８】
前記広告料金算出手段は、前記可搬記憶媒体に表示されている広告情報の店舗を利用したことを計数し広告利用状況として記憶する広告利用状況管理手段と、
前記広告利用状況管理手段により計数した広告利用状況を用いて広告利用効果を算出する広告利用効果算出手段とを備え、
前記広告利用効果を用いて広告料金を算出することを特徴とする請求項６記載の広告表示管理システム。
【請求項９】
広告情報を表示可能な表示部を有する可搬記憶媒体と、前記可搬記憶媒体が装着されたとき、記憶情報の更新を行う１又は複数の端末と、前記端末を管理する情報管理装置とから構成される広告表示管理システムの広告表示管理方法において、
複数種類の広告情報を記憶する広告情報記憶ステップと、
前記端末が、可搬記憶媒体に記憶された情報を読み出す読出ステップと、
前記端末から前記情報管理装置へ前記読み出された情報を通知する通知ステップと、
前記情報管理装置が、前記読み出された情報に基づいて複数種類の広告情報から任意の広告情報を選択する選択ステップと、
選択した広告情報により前記可搬記憶媒体に表示する広告情報を更新する更新ステップと
を有することを特徴とする広告表示管理方法。
【請求項１０】
広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、複数種類の広告情報を記憶する広告情報記憶手段と、前記可搬記憶媒体から読み出された情報に基づいて前記広告情報記憶手段に記憶された広告情報を選択する選択手段と、前記選択した広告情報により前記可搬記憶媒体に表示する広告情報を更新する更新手段とを備える広告表示管理システムをコンピュータに実行させるためのプログラムを記録したことを特徴とするコンピュータ読み取り可能な記録媒体。
【請求項１１】
広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、複数種類の広告情報を記憶する広告情報記憶手段と、前記可搬記憶媒体から読み出された情報に基づいて前記広告情報記憶手段に記憶された広告情報を選択する選択手段と、前記選択した広告情報により前記可搬記憶媒体に表示する広告情報を更新する更新手段とを備える広告表示管理システムをコンピュータに実行させるためのプログラム。
【発明の詳細な説明】
【技術分野】
【０００１】
本発明は、広告情報をカード等の可搬記憶媒体を利用して表示する広告表示管理システム、広告表示管理方法及び広告表示管理プログラムを記録した記録媒体に関する。
【背景技術】
【０００２】
従来、顧客管理の手段としては、顧客が所持する磁気カードなどに顧客ＩＤを保存し、その情報を磁気カード読取装置で、読み込んで処理した。また、特開平６−２６１０３２号公報に記載の装置では、顧客が所持するカードに携帯型送信装置を組み込み、ワイヤレスで、カード所持者の情報を取得するものが開示されている。
【０００３】
また、広告情報をカードを利用して表示する広告システムには、以下のようなものがある。
【０００４】
特開平５−２２８２５３号公報には、遊技情報を記録表示する領域の他に、広告案内表示、模様、図柄等を表示することのできる書替可能な領域と、該表示内容を表す信号を記録した磁気記録領域とを別途に有し、遊技情報のみならず、広告案内やカードデザインの変更をも可能とするリサイクルカード及び発行装置が開示されている。
【０００５】
また、特開２０００−９２２４７号公報には、広告主電話番号及びプリペイド度数が記憶された可搬記録媒体と、可搬記録媒体がセットされたとき広告主電話番号を読み取り、広告主システムに広告依頼を行うと共に、広告主システムから広告情報、広告提示手段及び課金調整手段を受け取り、前記広告提示手段により広告情報を提示する端末装置とからなり、前記端末装置は、広告主システムから受信した課金調整手段により電話局の課金手段と交信してプリペイド度数にプレミアムを付加する広告システムが開示されている。
【０００６】
一方、広告情報を顧客に応じて選択表示する広告システムには、以下のようなものがある。
【０００７】
特開平１１−５２９００号公報には、顧客ＩＤに対応づけて顧客情報を登録する顧客データベースと、顧客情報に対応づけて商品の広告情報を登録する広告情報テーブルと、顧客ＩＤの入力があったときに、顧客データベースを参照して該当する顧客情報を読み出して顧客情報をもとに広告情報テーブルを参照して該当する広告情報を見つけて画面上に表示することにより、ＰＯＳ端末などで顧客が商品を購入あるいはカード読取装置で顧客ＩＤを読み取ったりしたときなどに顧客情報をもとに最適な広告を選択して表示すると共に広告ポイントを加算して願客に広告の視聴を促し、顧客対応の広告の視聴率を向上させる広告表示システムが開示されている。
【発明の開示】
【発明が解決しようとする課題】
【０００８】
このような従来の広告表示システムにあっては、以下のような問題点があった。
特開平５−２２８２５３号公報に記載のカード発行装置では、遊技情報のみならず、広告案内やカードデザインの変更が可能になるものの、単に広告が表示されるだけであり、また、カードを利用する場所や時間、利用者によって広告内容が替わることもなく、広告主が広告効果を期待できないだけでなく、利用者にとっても広告表示による利益を感じないという問題点があった。
【０００９】
また、特開２０００−９２２４７号公報に記載の可搬記録媒体を用いた広告システムでは、可搬記録媒体に電話番号が記録された広告主の広告しか表示できないばかりでなく、端末にセットしたときにのみ、端末に設置された表示装置に広告が表示されるので、たとえ利用者が見たとしても瞬間的であり、充分な効果を得られないという問題点があった。
【００１０】
一方、特開平１１−５２９００号公報に記載の広告表示システムでは、例えばプリペイド型カードや、映画等のチケットのような顧客ＩＤを有しないカードには利用できないばかりでなく、カード読取装置で読み取ったときにのみ表示装置に表示されるので、上述のように充分な広告効果を得られないため、効果に見合った広告料を求めることができないという問題点があった。
【００１１】
いずれにしても従来のシステムでは、設置場所や広告時間等の設置条件にかかわらず固定的であり、充分な広告が得られないという課題があった。
【００１２】
本発明は、このような課題に鑑みてなされたものであって、利用時間帯、利用場所などの条件により広告を選択的に表示でき、充分な広告効果を得ると共に、広告効果に応じた広告料を算出することができる広告表示管理システム、広告表示管理方法及び広告表示管理プログラムを記録した記録媒体を提供することを目的とする。
【課題を解決するための手段】
【００１３】
本発明の広告表示管理システムは、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、複数種類の広告情報を記憶する広告情報記憶手段と、前記可搬記憶媒体から読み出された情報に基づいて前記広告情報記憶手段に記憶された広告情報を選択する選択手段と、前記選択した広告情報により前記可搬記憶媒体に表示する広告情報を更新する更新手段とを備えることを特徴としている。
【００１４】
本発明の広告表示管理システムは、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、前記可搬記憶媒体を利用するユーザの情報を記憶するユーザ情報記憶手段と、複数種類の広告情報を記憶する広告情報記憶手段と、前記可搬記憶媒体から読み出された情報を基に前記ユーザ情報記憶手段から該当するユーザ情報を読み出し、該ユーザ情報に基づいて前記広告情報記憶手段に記憶された広告情報を選択する選択手段と、前記選択した広告情報により前記可搬記憶媒体に表示する広告情報を更新する更新手段とを備えることを特徴としている。
【００１５】
本発明の広告表示管理システムは、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、前記端末が設置されている位置情報を記憶する位置記憶手段と、複数種類の広告情報を記憶する広告情報記憶手段と、前記可搬記憶媒体から読み出された情報を基に前記位置情報記憶手段から前記可搬記憶媒体が使用された位置情報を読み出し、該位置情報に基づいて前記広告情報記憶手段に記憶された広告情報を選択する選択手段と、前記選択した広告情報により前記可搬記憶媒体に表示する広告情報を更新する更新手段とを備えることを特徴としている。
【００１６】
本発明の広告表示管理システムは、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、前記端末の番号と関連付けた複数種類の広告情報を記憶する広告情報記憶手段と、前記可搬記憶媒体から情報を読み出した端末の番号に基づいて前記広告情報記憶手段に記憶された広告情報を選択する選択手段と、前記選択した広告情報により前記可搬記憶媒体に表示する広告情報を更新する更新手段とを備えることを特徴としている。
【００１７】
本発明の広告表示管理システムは、前記可搬記憶媒体に表示する広告情報の更新を行う時刻情報を算出する計時手段をさらに備え、前記選択手段は、前記計時手段により算出された前記時刻情報に基づいて前記広告情報記憶手段に記憶された広告情報を選択するものであってもよい。
【００１８】
本発明の広告表示管理システムは、所定の算出方法に基づいて広告料金を算出する広告料金算出手段をさらに備えるものであってもよい。
【００１９】
また、より好ましくは、前記広告料金算出手段は、前記更新した広告情報の掲載履歴を計数し広告表示回数として記憶する広告履歴手段と、前記広告履歴手段により計数した広告表示回数を用いて広告表示数効果を算出する広告回数効果算出手段とを備え、前記広告表示回数と前記広告表示数効果を用いて広告料金を算出するものであってもよい。
【００２０】
また、より好ましくは、前記広告料金算出手段は、前記可搬記憶媒体に表示されている広告情報の店舗を利用したことを計数し広告利用状況として記憶する広告利用状況管理手段と、前記広告利用状況管理手段により計数した広告利用状況を用いて広告利用効果を算出する広告利用効果算出手段とを備え、前記広告利用効果を用いて広告料金を算出するものであってもよい。
【００２１】
また、本発明の広告表示管理システムは、広告情報を表示可能な表示部を有する可搬記憶媒体と、前記可搬記憶媒体が装着されたとき、記憶情報の更新を行う１又は複数の端末と、前記端末を管理する情報管理装置とから構成される広告表示管理システムの広告表示管理方法において、複数種類の広告情報を記憶する広告情報記憶ステップと、前記端末が、可搬記憶媒体に記憶された情報を読み出す読出ステップと、前記端末から前記情報管理装置へ前記読み出された情報を通知する通知ステップと、前記情報管理装置が、前記読み出された情報に基づいて複数種類の広告情報から任意の広告情報を選択する選択ステップと、選択した広告情報により前記可搬記憶媒体に表示する広告情報を更新する更新ステップとを有することを特徴としている。
【００２２】
さらに、本発明は、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、複数種類の広告情報を記憶する広告情報記憶手段と、前記可搬記憶媒体から読み出された情報に基づいて前記広告情報記憶手段に記憶された広告情報を選択する選択手段と、前記選択した広告情報により前記可搬記憶媒体に表示する広告情報を更新する更新手段とを備える広告表示管理システムをコンピュータに実行させるためのプログラムを記録したことを特徴とするコンピュータ読み取り可能な記録媒体である。
【００２３】
また、本発明は、広告情報を表示可能な表示部を有する可搬記憶媒体と、前記可搬記憶媒体に記憶された情報を読み出す１又は複数の端末と、前記端末を管理する情報管理装置とを備える広告表示管理システムにおいて、複数種類の広告情報を記憶する広告情報記憶手段と、前記可搬記憶媒体から読み出された情報に基づいて前記広告情報記憶手段に記憶された広告情報を選択する選択手段と、前記選択した広告情報により前記可搬記憶媒体に表示する広告情報を更新する更新手段とを備える広告表示管理システムをコンピュータに実行させるためのプログラムである。
【発明の効果】
【００２４】
本発明によれば、利用時間帯、利用場所などの条件により広告を選択的に表示でき、充分な広告効果を得ると共に、広告効果に応じた広告料を算出することができる。
【００２５】
また、情報記憶表示媒体に記憶された利用者情報などによって広告を選択するため、利用者に応じた広告効果を期待することができる。
【００２６】
また、時刻情報によって広告を選択するため、時刻に応じた広告効果を期待することができる。
【００２７】
また、位置情報によって広告を選択できるため、場所に応じた広告効果を期待することが可能となる。
【００２８】
さらに、広告表示回数に応じた広告効果から広告料金を算出することができ、また、広告利用状況に応じた広告効果から広告料金を算出することができる。
【発明を実施するための最良の形態】
【００２９】
以下、添付図面を参照しながら本発明の好適な広告表示管理システム及び広告表示管理方法の実施の形態について詳細に説明する。
【００３０】
第１の実施の形態
図１は、本発明の第１の実施の形態の広告表示管理システムの構成を示す図である。本実施の形態に係る広告表示管理システムは、ネットワークを介してサーバコンピュータに接続されたパーソナルコンピュータ（パソコン）、専用端末に適用した例である。
【００３１】
図１において、広告表示管理システムは、情報記憶表示媒体１０１，１０２，１０３（可搬記憶媒体）、端末１０４，１０５，１０６、情報管理装置１１０、広告情報データベース１１８，１１９，１２０，１２１、及びネットワーク１２２，１２３を備えて構成される。
【００３２】
情報記憶表示媒体１０１，１０２，１０３は、例えばＩＣカード、磁気カード、メモリカード等定期券や身分証明書、キャッシュカード、買い物カード等内部に記憶部を有する媒体や、遊園地のアトラクションチケット、スキー場のリフト券等の可視情報によるカードもしくは単に紙による表示媒体、モバイル情報端末や携帯電話等表示部を有する個人端末である。また、これに限定されない広告を表示することが可能な領域を有する媒体を含む。
【００３３】
また、情報記憶表示媒体１０１，１０２，１０３は、上記磁気カードのほか、例えば電源バックアップにより書き込まれた情報を保持するＳＲＡＭ（Static RAM）カードや電源バックアップが不要なフラッシュメモリ等からなるコンパクトフラッシュ（ＣＦ）、スマートメディア、メモリスティク、さらにはコンパクトフラッシュと同程度の大きさ又はＰＣカードTypeIIに装着可能な超小型ハードディスクドライブ（ＨＤＤ）等である。
【００３４】
情報記憶表示媒体１０１，１０２，１０３は、さらに、上記表示領域に書き換え可能な、例えばシート状の感熱材料を使用し、サーマルヘッドによって文字や図形などの可視情報を表示し、これを書き換え可能としたものである。また、これに限定されない表示内容を更新可能な表示領域を有する。
【００３５】
端末１０４，１０５，１０６は、上記情報記憶表示媒体１０１，１０２，１０３を挿入することでこれを検知し、記憶部を有する媒体の場合にはこれを読み出し又は書き込み（更新を含む）可能とし、さらには上記更新可能な表示領域への情報更新を行う手段を有する。例えば、駅の改札機や遊園地のチケット端末、ＰＯＳシステムなどに代表される買い物カード端末であり、ネットワーク１２２に接続されている。
【００３６】
端末１０４，１０５，１０６は、上記処理を行うため、媒体情報読取手段１０７、媒体情報処理手段１０８、及び表示情報更新手段１０９（更新手段）から構成されている。表示情報更新手段１０９は、上記の媒体表示領域を書き換えることが可能であり、例えばサーマルヘッドを有するがこれに限定されない表示更新を行う。
【００３７】
例えば、端末１０４は、ＣＰＵ等からなり媒体情報処理の実行を含む装置全体の制御を行う制御装置、情報記憶表示媒体１０１に格納された情報を読み取る読取装置、入力操作を行うキーボード及びマウス等のポインティングデバイスからなる入力装置、入力・操作して得られた情報を表示するＣＲＴやＬＣＤ等からなる表示装置、商品情報等の情報を記憶するＨＤＤ等からなる外部記憶装置及びデータの送受信を行う通信装置を備えている。
【００３８】
上記ＣＰＵは、ＲＯＭ、ＲＡＭ及び電気的に書換可能な不揮発性メモリであるＥＥＰＲＯＭ（electrically erasable programmable ROM）やFlash ROMなどを備え、プログラム、通信制御データ、さらに電子メール端末の識別コード等の種々のデータを記憶する。また、上記入力装置は、ユーザによる商品名や現住所、交通手段等の条件を入力するキー入力及びポインティングデバイスであり、ユーザによる入力情報は媒体情報処理手段に入力される。
【００３９】
ネットワーク１２２，１２３は、インターネットや公衆回線、ＬＡＮ、さらには無線通信網であり、端末１０４，１０５，１０６、情報管理装置１１０、広告情報データベース１１８，１１９，１２０，１２１間での情報通信を可能にするものである。このネットワーク１２２，１２３は、イーサーネット（Ethernet）等によるデータ通信手段を総称する概念である。また、ネットワーク１２２，１２３のアクセス回線としては、ＦＴＴＨ（Fiber To The Home）、ＨＦＣ（Hybrid Fiber Coax：光同軸ケーブル）、及びＡＤＳＬ（Asymmetric Digital Subscriber Line）等の大容量回線が利用可能である。また、ネットワーク１２２とネットワーク１２３は等しいものであってもよい。
【００４０】
情報管理装置１１０は、広告情報処理等を実行するコンピュータ（演算手段）、データベースなどから構成され、具体的には、広告情報選択手段１１１、広告料金算出手段１１３、ユーザ情報処理手段１１４、及びマーケティング処理手段１１６から構成され、さらに広告情報記憶手段１１２、ユーザ情報記憶手段１１５、及びマーケティング情報記憶手段１１７を備える。広告情報記憶手段１１２は、ネットワークを通じて送られた広告情報を蓄積する機能を装備し、また広告データベースを含むものであってもよい。
【００４１】
図２は、図１の広告表示管理システムを、定期券及び改札機端末並びに情報管理装置のシステム構成に適用した例を示す図である。
【００４２】
図２において、定期券、改札機端末及び情報管理システムは、定期券２０１，２０２，２０３（可搬記憶媒体）、改札機端末２０４，２０５，２０６（端末）、情報管理装置２１０、広告情報データベース２１８，２１９，２２０（広告情報記憶手段）、改札処理サーバ２２１、及びネットワーク２２２，２２３を備えて構成される。
【００４３】
定期券２０１，２０２，２０３は、例えばＩＣカード、磁気カード、メモリカード等定期券であり内部に記憶部を有する個人端末である。また、広告を表示することが可能な領域を備える。
【００４４】
定期券２０１，２０２，２０３は、さらに、広告を表示することが可能な表示領域を備え、該表示領域に書き換え可能な、例えばシート状の感熱材料を使用し、サーマルヘッドによって文字や図形などの可視情報を表示し、これを書き換え可能としたものである。具体例については、図７により後述する。
【００４５】
改札機端末２０４，２０５，２０６は、上記定期券２０１，２０２，２０３を挿入することでこれを検知し、記憶部を有する媒体の場合にはこれを読み出し又は書き込み（更新を含む）可能とし、さらには上記更新可能な表示領域への情報更新を行う手段を有する。改札機端末２０４，２０５，２０６は、例えば、駅の改札機であり、ネットワーク２２２に接続されている。
【００４６】
改札機端末２０４，２０５，２０６は、上記処理を行うため、定期券情報読取手段２０７、定期券情報処理手段２０８、及び表示情報更新手段２０９（更新手段）から構成されている。表示情報更新手段２０９は、上記の媒体表示領域を書き換えることが可能であり、例えばサーマルヘッドを有するがこれに限定されない表示更新を行う。
【００４７】
ネットワーク２２２，２２３は、インターネットや公衆回線、さらには無線通信網であり、改札機端末２０４，２０５，２０６、情報管理装置２１０、広告情報データベース２１８，２１９，２２０、改札処理サーバ２２１間での情報通信を可能にするものである。また、ネットワーク２２２とネットワーク２２３は等しいものであってもよい。
【００４８】
情報管理装置２１０は、広告情報選択手段２１１、広告料金算出手段２１３、ユーザ情報処理手段２１４、及びマーケティング処理手段２１６から構成され、さらに広告情報記憶手段２１２、ユーザ情報記憶手段２１５、及びマーケティング情報記憶手段２１７を備える。広告情報記憶手段２１２は、ネットワーク２２３を通じて送られた広告情報を蓄積する機能を装備し、また広告データベースを含むものであってもよい。
【００４９】
図３は、情報管理装置２１０に記憶される時刻・個人情報テーブル１１を示す図、図４は、情報管理装置２１０に記憶される端末設置情報テーブル１２を示す図、図５は、情報管理装置２１０に記憶される広告種別テーブル１３を示す図、図６は、情報管理装置２１０に記憶される中吊り広告情報テーブル１４を示す図である。
【００５０】
図３の時刻・個人情報テーブル１１は、時間帯と男女の年齢別に広告種別をテーブルとして記憶する。例えば、時間帯「ＰＭ４：００−ＰＭ９：００」における２０歳〜４０歳の男性の場合には、広告種別「飲食店」がテーブル情報として記憶され、同じ時間帯の同じ年齢層の女性の場合には、広告種別「食品／小売店」がテーブル情報として記憶される。定期券が使用された時点の時刻及びユーザ情報を基に、この時刻・個人情報テーブル１１をルックアップすれば、効果の高い広告種別を選択することが可能になる。
【００５１】
図４の端末設置情報テーブル１２は、改札機端末の設置位置を端末番号に対応して記憶する。定期券が使用された改札機端末を判別することで、ユーザの利用場所を特定することが可能になる。
【００５２】
図５の広告種別テーブル１３は、広告種別と位置情報で示される店舗名等の店舗情報をテーブルとして記憶する。例えば、広告種別テーブル１３は、図３の時刻・個人情報テーブル１１から得られた「飲食店」「食品」「小売店」「洋品店」等広告種別と図４の端末設置情報テーブル１２から得られた駅改札口等の位置情報とからユーザの利用場所に近く広告効果の高い広告種別を提示できる。
【００５３】
図６の中吊り広告情報テーブル１４は、改札機端末の設置位置を中吊り広告情報に対応して記憶する。
【００５４】
以下、上述のように構成された広告表示管理システムの動作を説明する。
本実施の形態は、広告表示管理システムを、定期券、改札機端末及び情報管理システムに適用した場合の例である。定期券に広告情報を表示する場合の動作について説明する。
【００５５】
図７は、定期券２０１，２０２，２０３の表示例を示す図であり、図７（Ａ）は乗車時改札機へ挿脱後の表示例、図７（Ｂ）は降車時改札機への挿脱後の表示例である。図７では、定期券２０１，２０２，２０３のうち定期券２０１を代表して示している。
【００５６】
定期券２０１，２０２，２０３は、乗車期間、乗車区間、利用者情報を記憶する磁気記録部（不図示）を有し、また図７に示すような書き換え可能な広告表示領域２０１ａ（広告情報を表示可能な表示部）を備えている。
【００５７】
図２において、改札機端末２０４，２０５，２０６は、それぞれ異なる駅に設置されており、専用線を用いたネットワーク２２２に接続されている。
【００５８】
ネットワーク２２２には、交通機関の有する改札処理サーバ２２１が接続されており、改札機端末に挿脱される一般乗車券についてその改札処理を行う。
【００５９】
ネットワーク２２２には、さらに情報管理装置２１０が接続され、改札機端末に定期券が挿脱された際に改札機端末からの通知を受け応答情報を応答すると共に、ネットワーク２２３に接続された広告情報データベース２１８，２１９，２２０から広告情報を取り出し、広告情報記憶手段２１２に蓄積した後、改札機端末へ応答し、また、改札機端末からの通知情報が利用者情報である場合にはユーザ情報処理手段２１４によりユーザ情報記憶手段２１５に記憶する。
【００６０】
また、月末などに広告料金算出手段２１３により広告料金を算出し、広告主へ通知する。
さらには、上記ユーザ情報記憶手段２１５に記憶されたユーザ情報を利用してマーケティング処理手段２１６により駅毎の利用者の統計情報、例えば利用者の性別、年代などを統計処理し、これを広告主からの要求によりマーケティング情報として提供する。
【００６１】
図８は、端末における処理を示すメインフローチャートであり、端末内部の制御部において実行される。本実施の形態では、改札機端末２０４，２０５，２０６における処理フローである。図中、Ｓはフローの各ステップを示す。
【００６２】
まず、ステップＳ１で改札機端末２０４は定期券２０１が挿入されるとこれを検知し、ステップＳ２で定期券情報読取手段２０７にて媒体情報を読み込み後、ステップＳ３で端末固有の処理を行う。端末固有処理の詳細については、図９により後述する。
【００６３】
端末固有処理を終了すると、ステップＳ４でエラーの有無を判別し、エラーがあった場合には終了し、有効終了の場合に媒体情報すなわち利用者情報と判断して、ステップＳ５で性別、年齢などを、また、端末番号などの情報を媒体情報管理装置２１０へ通知した後、ステップＳ６で情報通知の最後を示す終了通知を通知する。
【００６４】
改札機端末からの情報通知の後、ステップＳ７で情報管理装置２１０からの応答情報処理を実行する。応答情報処理の詳細については、図１０により後述する。
【００６５】
応答情報処理を終了すると、ステップＳ８で媒体の掃き出し処理を行って本フローを終了する。
【００６６】
図９は、改札機端末における端末固有処理を示すフローチャートであり、図８のステップＳ３のサブルーチンである。
【００６７】
端末固有処理では、ステップＳ１１で情報記憶表示媒体が定期券であるかを判定し、媒体が定期券であった場合には、ステップＳ１２で定期券情報を抽出する。また、媒体が定期券でない場合には、ステップＳ１５でエラー処理を行って本サブルーチンを終了する。
【００６８】
ステップＳ１３では、定期券情報の期間情報から有効期間内かどうかを判別し、期間内でない場合にはエラー処理（ステップＳ１５）を行って本サブルーチンを終了する。期間内であれば、ステップＳ１４でルート情報からルート内であるかどうかを判別し、ルート内でなければ同様にエラー処理（ステップＳ１５）を行って本サブルーチンを終了し、ルート内であればそのまま本サブルーチンを終了してメインフロー（図８）に戻る。
【００６９】
図１０は、改札機端末における端末応答情報処理を示すフローチャートであり、図８のステップＳ７のサブルーチンである。
【００７０】
応答情報処理では、ステップＳ２１で情報管理装置からの応答情報を読み込み、ステップＳ２２で応答情報が広告情報か否かを判別する。
【００７１】
応答情報が広告情報である場合には、ステップＳ２３で応答情報を読み込み、ステップＳ２４で媒体の広告情報の書き換えを行い、次の応答情報を読み込むためにステップＳ２１に戻る。
【００７２】
応答情報が広告情報でない場合には、ステップＳ２５で応答情報が媒体記憶情報かどうかを判別し、媒体記憶情報である場合には、ステップＳ２６で媒体記憶情報を読み込み、ステップＳ２７で必要があれば媒体記憶情報の更新処理を行った後、次の応答情報を読み込むためにステップＳ２１に戻る。
【００７３】
応答情報が媒体記憶情報でもない場合には、ステップＳ２８で終了応答かどうかを判別し、終了応答である場合には本サブルーチン処理を終了してメインフロー（図８）に戻り、終了応答ではない場合には不要な応答を読み飛ばしてステップＳ２１に戻る。
【００７４】
図１１は、情報管理装置における処理を示すメインフローチャートであり、情報管理装置内部の制御部において実行される。本実施の形態では、情報管理装置２１０における処理フローである。
【００７５】
情報管理装置２１０では、広告情報選択手段２１１により、まず通知情報処理（ステップＳ３１）を実行する。通知情報処理の詳細については、図１２乃至図１５により後述する。
【００７６】
通知情報処理が終了すると、ステップＳ３２で月末処理を実行するかどうかを判別し、月末処理が必要な場合には、ステップＳ３３で広告料金算出手段２１３により広告料金算出処理を実行し、ステップＳ３４で処理結果に基づく広告料金を広告主サーバへ通知する。広告料金算出処理の詳細については、図１６により後述する。
【００７７】
広告主サーバは、この場合は、広告情報データベース２１８，２１９，２２０と同じであることから、料金通知はこれらデータベース２１８，２１９，２２０に対して通知される。
【００７８】
広告主サーバへの通知が終了した場合、あるいは上記ステップＳ３２で月末処理が必要でない場合には、ステップＳ３５でマーケティング情報要求があるかどうかを判別する。マーケティング情報要求がある場合には、ステップＳ３６でマーケティング処理手段２１６によりマーケティング情報処理が実行される。マーケティング情報処理の詳細については、図１８により後述する。
【００７９】
マーケティング情報要求は、上記広告主サーバすなわち広告情報データベース２１８，２１９，２２０からの要求通知に基づき、マーケティング情報記憶手段２１７に記憶された情報がネットワーク２２３を介して広告主サーバへ応答される。
【００８０】
ステップＳ３７では、通知情報処理が終了かどうかを判別し、処理終了である場合には本フローを終了し、処理終了ではない場合には上記ステップＳ３１に戻る。
【００８１】
図１２は、情報管理装置２１０における通知情報処理を示すフローチャートであり、図１１のステップＳ３１のサブルーチンである。
【００８２】
通知情報処理では、ステップＳ４１で通知が端末からの通知かどうかを判別し、端末からの通知である場合には、ステップＳ４２で通知情報を読み込み、端末からの通知でない場合には本サブルーチンを終了してメインフロー（図１１）に戻る。
【００８３】
端末からの通知情報を読み込んだ後、ステップＳ４３で通知情報が広告要求かどうかを判別し、広告要求であった場合には、ステップＳ４４で広告選択処理を実行する。広告選択処理の詳細については、図１３により後述する。
【００８４】
広告選択処理が終了すると、ステップＳ４５で広告情報及び応答情報を改札機端末へ応答する。
【００８５】
改札機端末への応答が終了した場合、あるいは上記ステップＳ４３で通知情報が広告要求でない場合には、ステップＳ４６で通知情報が終了通知であるか否かを判別し、終了通知でない場合には、ステップＳ４８で通知情報抽出処理を実行してステップＳ４２に戻る。また、通知情報が終了通知である場合には、ステップＳ４７で広告履歴情報処理を実行して本通知情報処理を終了してメインフロー（図１１）に戻る。広告履歴情報処理の詳細については、図１４により、また通知情報抽出処理の詳細については、図１５により後述する。
【００８６】
図１３は、改札機端末をクライアントとした広告選択処理を示すフローチャートであり、図１２のステップＳ４４のサブルーチンである。
【００８７】
広告選択処理では、ステップＳ５１で改札機端末へ定期券を挿入した利用者が乗車するのか降車するのかを示す乗車情報を抽出し、ステップＳ５２で定期券を挿入した利用者が乗車するのか降車するのかを判別する。
【００８８】
利用者が乗車時には、ステップＳ５９で図６の中吊り広告情報テーブル１４から通知してきた端末の端末番号に応じた広告情報を選択し、ネットワーク２２３に接続された広告主の広告情報データベース２１８，２１９，２２０から広告情報を読み出し、端末への応答広告情報として広告情報記憶手段２１２に記憶して本サブルーチンを終え図１２のフローに戻る。
【００８９】
一方、利用者が降車時には、ステップＳ５３でユーザ情報処理手段２１４によってユーザ情報記憶手段２１５に記憶された情報の中から、性別、年代などの利用者情報を抽出し、ステップＳ５４で現在時刻を抽出する。次いで、ステップＳ５５で端末情報から端末番号を抽出し、ステップＳ５６で端末番号を用いて図４の設置端末情報テーブル１２から端末の位置情報を抽出する。
【００９０】
次いで、ステップＳ５７で上記利用者情報及び時刻情報を用いて図３の時刻・個人情報テーブル１１から広告種別を抽出する。例えば、図３の時刻・個人情報テーブル１１から広告種別を抽出し、時刻がＰＭ５：００で利用者が４６歳男性であれば広告種別として「飲食店関連広告」を選択する。
【００９１】
上記広告種別が選択された後、ステップＳ５８で上記設置端末情報テーブル１２から抽出した端末の位置情報を用いて図５の広告種別テーブル１３から広告情報を選択し、ネットワーク２２３に接続された広告主の広告情報データベース２１８，２１９，２２０から広告情報を読み出し、端末への応答広告情報として広告情報記憶手段２１２に記憶して本サブルーチンを終え図１２のフローに戻る。
【００９２】
図１４は、改札機端末をクライアントとした広告履歴情報処理を示すフローチャートであり、図１２のステップＳ４７のサブルーチンである。
【００９３】
広告履歴情報処理では、ステップＳ６１で更新した広告情報を抽出し、ステップＳ６２で広告更新回数を計数する。次いで、ステップＳ６３で広告料金算出手段２１３により広告料金算出処理（図１６で後述する）やマーケティング情報処理（図１７で後述する）における広告履歴情報として利用するため、広告掲載履歴として記憶して本サブルーチンを終え図１２のフローに戻る。
【００９４】
図１５は、改札機端末をクライアントとした通知情報抽出処理を示すフローチャートであり、図１２のステップＳ４８のサブルーチンである。
【００９５】
通知情報抽出処理では、ステップＳ７１で通知情報が利用者の乗車か降車かを示す乗車情報であるか否かを判別し、通知情報が乗車情報であれば、ステップＳ７２で通知情報を乗車情報として記憶して本サブルーチンを終了する。
【００９６】
通知情報が乗車情報でないときは、ステップＳ７３で通知情報が利用者情報であるか否かを判別し、通知情報が利用者情報である場合には、ステップＳ７４でユーザ情報処理手段２１４によってユーザ情報記憶手段２１５に通知情報を利用者情報として記憶して本サブルーチンを終了する。
【００９７】
上記ステップＳ７３で通知情報が利用者情報でない場合には、ステップＳ７５で通知情報が端末番号等の端末情報であるか否かを判別し、通知情報が端末番号等の端末情報であれば、ステップＳ７６で端末情報として記憶して本サブルーチンを終え図１２のフローに戻る。また、通知情報が端末情報でないときは、該当する通知情報はなかった場合でありそのまま処理を終了する。
【００９８】
以上、図１２乃至図１５の処理により、図１１のステップＳ３１の通知情報処理が実行できた。次に、広告料金算出処理（図１１のステップＳ３３）について述べる。
【００９９】
図１６は、情報管理装置２１０における広告料金算出処理を示すフローチャートであり、図１１のステップＳ３３のサブルーチンである。
【０１００】
広告料金算出処理では、まず、ステップＳ８１で図１４で述べた広告掲載履歴処理による広告履歴情報を抽出し、ステップＳ８２でその広告更新回数を抽出する。次いで、ステップＳ８３で広告効果情報を抽出し、ステップＳ８４で上記広告更新回数及び広告効果情報を用いて広告料金を算出して本サブルーチンを終え図１１のフローに戻る。
【０１０１】
上記広告更新回数及び広告効果情報を用いて広告料を算出する方法について、図１７を用いて説明する。
【０１０２】
図１７は、広告料算出モデルを示す図である。図１７は、情報管理装置２１０の広告料金算出手段２１３が広告料金算出処理で行う算出方法をモデル化して示すもので、図中の関数ｆ，ｈ，ｇパラメータ５１〜５３、スイッチ５４〜５６及び加算器５７は、実際には、広告料金算出手段２１３の演算処理により実現される。
【０１０３】
ここで、更新回数をα、広告効果をβとすると、広告料は以降の式で算出される。広告更新回数のみの更新回数広告料は、
更新回数広告料＝ｆ（α）
とすると、例えば掲載料金１件あたり１０円とすると、
ｆ（α）＝α×１０円
となり、更新回数が１，０００回であれば広告料は１０，０００円となる。
【０１０４】
また、広告効果のみの広告効果広告料は、
広告効果広告料＝ｇ（β）
とすると、例えば広告効果として、１から１００までの効果係数とし、効果単価を１，０００円とすると、
ｇ（β）＝β×１，０００円
となり、効果係数が例えば５０として５０，０００円となる。
【０１０５】
さらには、上記広告更新回数と広告効果の相関による相関広告料は、
相関広告料＝ｈ（α、β）
とし、相関関数を、
ｈ（α、β）＝（β÷１００）×α×１，０００円
とすると、上記のようにα＝１，０００、β＝５０として、５００，０００円となる。
【０１０６】
以上の各金額を合計した広告料
Ｃ（ｆ、ｇ、ｈ）＝ｆ＋ｇ＋ｈ
を算出し、その結果５６０，０００円が広告料として算出される。
【０１０７】
ここでは、乗車時の中刷り広告の場合には改札機端末毎に広告内容を固定し、降車時の駅毎の広告は利用者情報に従って選択されているため、広告効果は固定値、例えば５０を用いているが、降車駅での広告主サーバにおいて、定期券に表示されている広告が利用店舗のものである場合に広告主サーバから情報管理装置２１０に通知し、これを計数することで１から１００までの効果係数を算出してもよい。
【０１０８】
次に、マーケティング情報処理について述べる。
図１８は、情報管理装置２１０におけるマーケティング情報処理を示すフローチャートであり、図１１のステップＳ３６のサブルーチンである。本マーケティング情報処理は、マーケティング処理手段２１６により実行される。
【０１０９】
マーケティング情報処理では、まず、ステップＳ９１で利用者情報を抽出し、ステップＳ９２で利用者の性別、年齢などの個人情報を抽出する。次いで、ステップＳ９３で広告履歴情報を抽出し、ステップＳ９４で所定の統計処理を実行する。
【０１１０】
この統計処理は、利用者情報から、例えば改札機端末設置駅の性別毎の利用者数状況や年代別、時間帯別の利用者状況を統計処理したり、上記広告履歴情報処理と広告効果算出で説明したように、広告種別毎に、広告による性別、年代別利用状況を統計処理するものである。
【０１１１】
統計処理の結果は、ステップＳ９５でマーケティング処理手段２１６によりマーケティング情報記憶手段２１７に記憶して本サブルーチンを終え図１１のフローに戻る。処理されたマーケティング情報は、前記マーケティング情報要求に従って広告主サーバに通知される。
【０１１２】
以上のように、本実施の形態の広告表示管理システムは、情報記憶表示媒体１０１，１０２，１０３、端末１０４，１０５，１０６、情報管理装置１１０、複数種類の広告情報を記憶する広告情報データベース１１８，１１９，１２０，１２１、及びネットワーク１２２，１２３から構成され、端末１０４，１０５，１０６は、媒体情報読取手段１０７、媒体情報処理手段１０８、及び表示情報更新手段１０９を備え、情報管理装置１１０は、広告情報選択手段１１１、広告料金算出手段１１３、ユーザ情報処理手段１１４、及びマーケティング処理手段１１６から構成され、さらに広告情報記憶手段１１２、ユーザの情報を記憶するユーザ情報記憶手段１１５、及びマーケティング情報記憶手段１１７を備え、広告情報選択手段１１１は、情報記憶表示媒体から読み出された情報を基にユーザ情報記憶手段１１５から該当するユーザ情報を読み出し、該ユーザ情報に基づいて広告情報データベース１１８，１１９，１２０，１２１に記憶された広告情報を選択し、表示情報更新手段１０９が、選択した広告情報により情報記憶表示媒体に表示する広告情報を更新し、広告料金算出手段１１３が、前もって定められた算出方法に基づき広告効果に応じた広告料金を算出するので、利用時間帯、利用場所などの条件により広告を選択的に表示でき、充分な広告効果を得ると共に、広告効果に応じた広告料を算出することができる。
【０１１３】
特に、定期券、改札機端末及び情報管理システムにおいて、利用者が使用した改札機の配置位置によって最も効果ある広告を選択して表示することができ、さらには広告効果に応じた広告料金を算出することが可能となる。また、定期券に記憶された利用者情報などによって広告を選択できるため、利用者に応じた広告効果を期待することができる。例えば、図７（Ａ）に示すように乗車時改札機へ挿脱後には、乗車中に利用者の興味を惹く出版広告が表示され、図７（Ｂ）に示すように降車時改札機への挿脱後には、降車した駅改札付近の店舗情報が表示される。この表示は、利用者の個人情報と時刻情報によって適当な広告情報が選択されるため、高い広告効果を期待することが可能となる。
【０１１４】
第２の実施の形態
図１９は、本発明の第２の実施の形態の広告表示管理システムの構成を示す図である。本実施の形態に係る広告表示管理システムは、遊園地のアトラクションチケット及びアトラクション入場端末並びに情報管理装置のシステムに適用した例である。
【０１１５】
図１９において、アトラクションチケット、アトラクション入場端末及び情報管理システムは、アトラクションチケット３０１，３０２，３０３（可搬記憶媒体）、アトラクション入場端末３０４，３０５，３０６（端末）、情報管理装置３１０、広告情報データベース３１８，３１９，３２０（広告情報記憶手段）、入場処理サーバ３２１、及びネットワーク３２２，３２３を備えて構成される。
【０１１６】
アトラクションチケット３０１，３０２，３０３は、例えば、磁気カード、メモリカード等アトラクションチケット等内部に記憶部を有する媒体や、遊園地のアトラクションチケット、スキー場のリフト券等の可視情報によるカードもしくは単に紙による表示媒体を有する個人端末である。また、広告を表示することが可能な領域を備える。
【０１１７】
アトラクションチケット３０１，３０２，３０３は、さらに、広告を表示することが可能な表示領域を備え、該表示領域に書き換え可能な、例えばシート状の感熱材料を使用し、サーマルヘッドによって文字や図形などの可視情報を表示し、これを書き換え可能としたものである。具体例については、図２５により後述する。
【０１１８】
アトラクション入場端末３０４，３０５，３０６は、上記アトラクションチケット３０１，３０２，３０３を挿入することでこれを検知し、記憶部を有する媒体の場合にはこれを読み出し又は書き込み（更新を含む）可能とし、さらには上記更新可能な表示領域への情報更新を行う手段を有する。例えば、駅の改札機や遊園地のチケット端末、ＰＯＳシステムなどに代表される買い物カード端末であり、ネットワーク３２２に接続されている。
【０１１９】
アトラクション入場端末３０４，３０５，３０６は、上記処理を行うため、アトラクションチケット情報読取手段３０７、アトラクションチケット情報処理手段３０８、及び表示情報更新手段３０９（更新手段）から構成されている。表示情報更新手段３０９は、上記の媒体表示領域を書き換えることが可能であり、例えばサーマルヘッドを有するがこれに限定されない表示更新を行う。
【０１２０】
ネットワーク３２２，３２３は、インターネットや公衆回線、さらには無線通信網であり、アトラクション入場端末３０４，３０５，３０６、情報管理装置３１０、広告情報データベース３１８，３１９，３２０、入場処理サーバ３２１間での情報通信を可能にするものである。また、ネットワーク３２２とネットワーク３２３は等しいものであってもよい。
【０１２１】
情報管理装置３１０は、広告情報選択手段３１１、広告料金算出手段３１３、ユーザ情報処理手段３１４、及びマーケティング処理手段３１６から構成され、さらに広告情報記憶手段３１２、ユーザ情報記憶手段３１５、及びマーケティング情報記憶手段３１７を備える。広告情報記憶手段３１２は、ネットワーク３２３を通じて送られた広告情報を蓄積する機能を装備し、また広告データベースを含むものであってもよい。
【０１２２】
図２０は、情報管理装置３１０に記憶されるアトラクション位置情報テーブル２１を示す図、図２１は、情報管理装置３１０に記憶されるアトラクション待ち時間テーブル２２を示す図、図２２は、情報管理装置３１０に記憶されるアトラクション広告テーブル２３を示す図、図２３は、情報管理装置３１０に記憶されるイベント情報テーブル２４を示す図である。また、図２４は、アトラクション配置位置を示す図である。
【０１２３】
図２０のアトラクション位置情報テーブル２１は、参照されるアトラクションに近い他のアトラクション３つを順位づけて記憶する。例えば、アトラクションＡに近いアトラクションは、順に、アトラクションＢ、アトラクションＣ、アトラクションＥであり（図２４参照）、アトラクションＡの利用者は位置的にはアトラクションＢが近いことが示される。
【０１２４】
図２１のアトラクション待ち時間テーブル２２は、各アトラクションの待ち時間を記憶する。この待ち時間情報は、適時更新される。
【０１２５】
図２２のアトラクション広告テーブル２３は、利用アトラクションに対応する次に選択すべき選択アトラクション及びその待ち時間をテーブルとして記憶する。アトラクション広告テーブル２３は、各アトラクション毎に、図２０のアトラクション位置情報テーブル２１から得られた近いアトラクションである選択アトラクションと図２１のアトラクション待ち時間テーブル２２から得られた該選択アトラクションの待ち時間を記憶する。
【０１２６】
図２３のイベント情報テーブル２４は、「パレード」「即売会」「イベントＣ」などのイベント情報を開始時刻と共に記憶する。
【０１２７】
以下、上述のように構成された広告表示管理システムの動作を説明する。
本実施の形態は、広告表示管理システムを、アトラクションチケット、アトラクション入場端末及び情報管理システムに適用した場合の例である。アトラクションチケットに広告情報を表示する場合の動作について説明する。
【０１２８】
図２５は、アトラクションチケット３０１，３０２，３０３の表示例を示す図であり、図２５（Ａ）はアトラクション入場前の表示例、図２５（Ｂ）はアトラクション入場後の表示例である。図２５では、アトラクションチケット３０１，３０２，３０３のうちアトラクションチケット３０１を代表して示している。
【０１２９】
アトラクションチケット３０１，３０２，３０３は、有効日、大人／子供を区別する利用者情報、利用度数情報を記憶する磁気記録部（不図示）を有し、また図２５に示すように書き換え可能な広告表示領域３０１ａ（広告情報を表示可能な表示部）を備えている。
【０１３０】
アトラクション入場端末３０４、３０５、３０６は、図２４に示すようにそれぞれアトラクションＡ〜Ｅに設置されており、図１９の無線ネットワーク３２２に接続されている。
【０１３１】
ネットワーク３２２には、遊園地の保有する入場処理サーバ３２１が接続されており、アトラクション入場端末に挿脱されるアトラクション別チケットについては入場処理を行う。
【０１３２】
ネットワーク３２２には、さらに情報管理装置３１０が接続され、アトラクション入場端末にアトラクションチケットが挿脱された際にアトラクション入場端末からの通知を受け応答情報を応答すると共に、ネットワーク３２３に接続された広告情報データベース３１８，３１９，３２０から広告情報を取り出し、広告情報記憶手段３１２に蓄積した後、アトラクション入場端末へ応答し、また、アトラクション入場端末からの通知情報が利用者情報である場合にはユーザ情報処理手段３１４によりユーザ情報記憶手段３１５に記憶する。
【０１３３】
また、ユーザ情報記憶手段３１５に記憶されたユーザ情報を利用してマーケティング処理手段３１６によりアトラクション毎の利用者の統計情報、例えば子供の利用状況や大人の利用状況などを統計処理し、これをマーケティング情報として活用可能にする。
【０１３４】
図２６は、アトラクション入場端末における端末固有処理を示すフローチャートであり、図８のメインフローチャートのステップＳ３のサブルーチンに対応する。
【０１３５】
アトラクション入場端末３０４はアトラクションチケット３０１が挿入されるとこれを検知し、アトラクションチケット情報読取手段３０７にて媒体情報を読み込み後、以下に述べる端末固有の処理を行う。
【０１３６】
まず、ステップＳ１０１で情報記憶表示媒体がアトラクションチケットであるかを判定し、媒体がアトラクションチケットであった場合には、ステップＳ１０２でチケット残度数を抽出する。媒体がアトラクションチケットでない場合には、ステップＳ１０５でエラー処理を行って本サブルーチンを終了する。
【０１３７】
ステップＳ１０３では、アトラクションチケットの残度数が必要度数以上か否かを判別する。例えば、アトラクション入場に１００度数必要である場合には、残度数が１００以上あるか否かを判別する。
【０１３８】
残度数が必要度数以上ない場合には、ステップＳ１０５でエラー処理を行って本サブルーチンを終了し、残度数が必要度数以上ある、例えば残度数が１，０００度数あるとした場合には、ステップＳ１０４で残度数から必要度数、この場合１００度数を引いた９００度数を更新度数として本サブルーチンを終了してメインフロー（図８）に戻る。
【０１３９】
図８のメインフローに戻って、端末固有処理（図２６）を終了すると、ステップＳ４でエラーの有無を判別し、エラーがあった場合には終了し、有効終了の場合には、ステップＳ５で媒体情報すなわち利用者情報として大人／子供の情報を、また、度数情報を媒体情報管理装置３１０へ通知する。次いで、ステップＳ６で情報通知の最後を示す終了通知を通知する。
【０１４０】
アトラクションチケット端末からの情報通知の後、ステップＳ７で情報管理装置３１０からの応答情報処理（図１０）を実行する。この応答情報処理は、図１０で説明した通りであるが、アトラクション入場端末としての応答情報処理の観点からいま一度説明する。
【０１４１】
図１０の応答情報処理において、まず、ステップＳ２１で情報管理装置３１０からの応答情報を読み込み、ステップＳ２２で応答情報が広告情報であるか判別する。
【０１４２】
応答情報が広告情報の場合、ここではアトラクション待ち時間情報やイベント開始情報である場合には、ステップＳ２３で応答情報を読み込み、ステップＳ２４で媒体の広告情報の書き換えを行って、次の応答情報を読み込むためにステップＳ２１に戻る。
【０１４３】
応答情報が広告情報でない場合には、ステップＳ２５で応答情報が媒体記憶情報、この場合度数情報であるかを判別し、媒体記憶情報である場合には、ステップＳ２６で媒体記憶情報を読み込み、ステップＳ２７で度数情報の更新処理を行った後、次の応答情報を読み込むためステップＳ２１に戻る。
【０１４４】
応答情報が媒体記憶情報でもない場合には、ステップＳ２８で終了応答か否かを判別し、終了応答である場合には処理を終了し、終了応答ではない場合には不要な応答を読み飛ばしてメインフロー（図８）に戻る。
【０１４５】
図８に戻って、上記応答情報処理（ステップＳ７）を終了すると、ステップＳ８で媒体の掃き出し処理を行ってメインフローの処理を終了する。
【０１４６】
一方、情報管理装置３１０における処理は、図１１の処理とほぼ同じである。すなわち、情報管理装置３１０では、広告情報選択手段３１１により、まず通知情報処理（ステップＳ３１）を実行する。この通知情報処理の詳細は、上述した第１の実施の形態の改札機の場合と同様なため、説明を省略する。
【０１４７】
通知情報処理（ステップＳ３１）が終了すると、月末処理を実行するステップとなるが、本実施の形態ではアトラクション情報を広告情報としているため、このステップは省略する。
【０１４８】
月末処理が必要でない場合には、ステップＳ３５でマーケティング情報要求があるかどうかを判別し、マーケティング情報要求がある場合には、ステップＳ３６でマーケティング処理手段３１６によりマーケティング情報処理を実行する。マーケティング情報要求は、入場処理サーバ３２１からの要求通知に基づき、マーケティング情報記憶手段３１７に記憶された情報がネットワーク３２２を介して入場処理サーバ３２１へ応答される。
【０１４９】
また、情報管理装置３１０における通知情報処理は、図１２のステップＳ４４及びステップＳ４８が、それぞれ図２７の広告選択処理、図２８の通知情報抽出処理に置き換えて実行される。
【０１５０】
図２７は、アトラクション入場端末をクライアントとした広告選択処理を示すフローチャートであり、図１２のステップＳ４４のサブルーチンに対応する。
【０１５１】
広告選択処理では、まず、ステップＳ１１１でアトラクション入場端末へアトラクションチケットを挿入した利用者が利用しようとするアトラクションを表すアトラクション情報を抽出し、ステップＳ１１２で図２０のアトラクション情報テーブル２１から通知してきた端末の設置されているアトラクションと位置が近いアトラクションを近い順に３つ選択する。アトラクションの位置関係は、図２４に示される。
【０１５２】
次いで、ステップＳ１１３で選択されたアトラクションから図２１のアトラクション待ち時間テーブル２２を用いて選択アトラクション待ち時間を抽出し、ステップＳ１１４で上記利用アトラクションと選択アトラクション及び選択アトラクションの待ち時間を図２２のアトラクション広告テーブル２３に記憶する。
【０１５３】
次いで、ステップＳ１１５で現在の時刻情報を抽出し、ステップＳ１１６で抽出した時刻情報から図２３のイベント情報テーブル２４を用いてイベント開始時間が直近のイベントを選択する。
【０１５４】
次いで、ステップＳ１１７で上記アトラクション待ち時間とイベント開始情報を端末への応答広告情報として広告情報記憶手段３１２に記憶して本サブルーチンを終え図１２のフローに戻る。
【０１５５】
図１２の広告選択処理（ステップＳ４４）が終了すると、ステップＳ４５で広告情報及び応答情報をアトラクション入場端末へ応答する。
【０１５６】
図２８は、アトラクション入場端末をクライアントとした通知情報抽出処理を示すフローチャートであり、図１２のステップＳ４８のサブルーチンに対応する。
【０１５７】
通知情報抽出処理では、ステップＳ１２１で通知情報が利用者が利用しようとするアトラクション情報であるかどうかを判別し、アトラクション情報であれば、ステップＳ１２２で通知情報をアトラクション情報として記憶して本サブルーチンを終了する。
【０１５８】
通知情報がアトラクション情報でなければ、ステップＳ１２３で通知情報が利用者情報であるかを判別し、通知情報が利用者情報である場合には、ステップＳ１２４でこの通知情報を利用者情報として記憶すると共に、ユーザ情報処理手段３１４によってユーザ情報記憶手段３１５に利用者情報として記憶される。
【０１５９】
次に、アトラクションチケットにおけるマーケティング情報処理について説明する。
情報管理装置３１０におけるマーケティング情報処理は、図１８で説明した通りであるが、アトラクション入場端末としてのマーケティング情報処理の観点からいま一度説明する。
【０１６０】
マーケティング処理手段３１６により実行されるマーケティング情報処理（図１１のステップＳ３６）では、まず、ステップＳ９１で利用者情報を抽出し、ステップＳ９２で利用者が大人か子供かなどの個人情報を抽出する。次いで、ステップＳ９３で広告履歴情報を抽出し、ステップＳ９４で統計処理を実行する。
【０１６１】
この統計処理は、利用者情報から、例えばアトラクション毎の子供の利用状況や大人の利用状況、時間帯別のアトラクション利用状況などを統計処理する。
【０１６２】
統計処理の結果は、ステップＳ９５でマーケティング処理手段３１６によりマーケティング情報記憶手段３１７に記憶して処理を終えメインフロー（図１１）に戻る。また、マーケティング情報は、前記マーケティング情報要求に従って入場処理サーバ３２１に通知される。
【０１６３】
以上のように、本実施の形態では、アトラクションチケット、アトラクション入場端末及び情報管理システムにおいて、利用者が利用したアトラクションに近い場所のアトラクションと待ち時間の広告を表示することができ、利用者にとって有用な広告効果を期待することができる。例えば、図２５（Ａ）に示すアトラクション入場前の表示は、アトラクション入場後は、図２５（Ｂ）に示す表示例となり、近い場所のアトラクションと待ち時間を知ることができる。また、使用後の残り使用度数や、時刻情報によるイベント情報も表示されるため、高い広告効果を期待することが可能となる。
【０１６４】
第３の実施の形態
図２９は、本発明の第３の実施の形態の広告表示管理システムの構成を示す図である。本実施の形態に係る広告表示管理システムは、買い物カード及び買い物カード端末並びに情報管理装置のシステムに適用した例である。
【０１６５】
図２９において、買い物カード、買い物カード端末及び情報管理システムは、買い物カード４０１，４０２，４０３（可搬記憶媒体）、買い物カード端末４０４，４０５，４０６（端末）、情報管理装置４１０、広告情報データベース４１８，４１９，４２０（広告情報記憶手段）、入場処理サーバ４２１、及びネットワーク４２２，４２３を備えて構成される。
【０１６６】
買い物カード４０１，４０２，４０３は、例えばＩＣカード、磁気カード、メモリカード等買い物カードや身分証明書、キャッシュカード、買い物カード等内部に記憶部を有する媒体や、可視情報によるカードもしくは単に紙による表示媒体、モバイル情報端末や携帯電話等表示部を有する個人端末である。また、これに限定されない広告を表示することが可能な領域を有する媒体を含む。
【０１６７】
買い物カード４０１，４０２，４０３は、さらに、広告を表示することが可能な表示領域を備え、該表示領域に書き換え可能な、例えばシート状の感熱材料を使用し、サーマルヘッドによって文字や図形などの可視情報を表示し、これを書き換え可能としたものである。具体例については、図３４により後述する。
【０１６８】
カード端末４０４，４０５，４０６は、それそれ商店街の異なる店に設置されており、公衆回線を用いたネットワーク４２２に接続されている。
【０１６９】
買い物カード端末４０４，４０５，４０６は、上記処理を行うため、買い物カード情報読取手段４０７、買い物カード情報処理手段４０８、及び表示情報更新手段４０９（更新手段）から構成されている。表示情報更新手段４０９は、上記の媒体表示領域を書き換えることが可能であり、例えばサーマルヘッドを有するがこれに限定されない表示更新を行う。
【０１７０】
ネットワーク４２２，４２３は、インターネットや公衆回線、さらには無線通信網であり、買い物カード端末４０４，４０５，４０６、情報管理装置４１０、広告情報データベース４１８，４１９，４２０、入場処理サーバ４２１間での情報通信を可能にするものである。また、ネットワーク４２２とネットワーク４２３は等しいものであってもよい。
【０１７１】
情報管理装置４１０は、広告情報選択手段４１１、広告料金算出手段４１３、ユーザ情報処理手段４１４、及びマーケティング処理手段４１６から構成され、さらに広告情報記憶手段４１２、ユーザ情報記憶手段４１５、及びマーケティング情報記憶手段４１７を備える。広告情報記憶手段４１２は、ネットワーク４２３を通じて送られた広告情報を蓄積する機能を装備し、また広告データベースを含むものであってもよい。
【０１７２】
図３０は、情報管理装置４１０に記憶される利用状況テーブル３１を示す図、図３１は、情報管理装置４１０に記憶される利用者管理テーブル３２を示す図、図３２は、情報管理装置４１０に記憶される広告情報テーブル３３を示す図、図３３は、情報管理装置４１０に記憶される広告利用回数テーブル３４を示す図である。
【０１７３】
図３０の利用状況テーブル３１は、カード保持者毎の利用状況として「現広告番号」「利用店」「利用金額」「更新広告番号」を記憶する。「現広告番号」「更新広告番号」は、広告主（店舗名）等の広告情報を示す番号であり、図３２の広告情報テーブル３３に示すように、例えば広告番号「１」は広告情報「ＡＡ青果店」を、広告番号「２」は広告情報「ＢＢ洋品店」を示す。詳細は後述するが、この広告情報テーブル３３の広告情報を参照し、ネットワーク４２３に接続された広告主の広告情報データベース４１８，４１９，４２０から広告情報を読み出すことにより、図３４に示すような広告情報が表示される。
【０１７４】
図３１の利用者管理テーブル３２は、カード保持者毎の「今月利用回数」「利用金額」「利用金額に応じたポイント」を記憶する。
【０１７５】
図３３の広告利用回数テーブル３４は、広告番号に対応する「表示時利用回数」を記憶する。利用者管理テーブル３２及び広告利用回数テーブル３４は、広告料金算出、及び広告効果算出に利用される。
【０１７６】
以下、上述のように構成された広告表示管理システムの動作を説明する。
本実施の形態は、広告表示管理システムを、買い物カード、買い物カード端末及び情報管理システムに適用した場合の例である。買い物カードに広告情報を表示する場合の動作について説明する。
【０１７７】
図３４は、買い物カード４０１，４０２，４０３の表示例を示す図であり、図３４（Ａ）は買い物前の表示例、図２５（Ｂ）は買い物後の表示例である。図３４では、買い物カード４０１，４０２，４０３のうち買い物カード４０１を代表して示している。
【０１７８】
買い物カード４０１，４０２，４０３は、利用者情報、カード会社がカード個々に付したカード情報、利用ポイント等を記憶する磁気記録部（不図示）を有し、また図３４に示すような書き換え可能な広告表示領域４０１ａ（広告情報を表示可能な表示部）を備えている。
【０１７９】
カード端末４０４，４０５，４０６は、それそれ商店街の異なる店に設置されており、公衆回線を用いたネットワーク４２２に接続されている。
【０１８０】
ネットワーク４２２には、カード発行の商店街と契約しているカード会社の有するカード処理サーバ４２１が接続されており、購入金額を銀行引き落としする際などの処理については、カード処理サーバ４２１と接続してその処理を行う。
【０１８１】
ネットワーク４２２には、さらに情報管理装置４１０が接続され、カード端末に買い物カードが挿脱された際にカード端末からの通知を受け応答情報を応答すると共に、ネットワーク４２３に接続された広告情報データベース４１８，４１９，４２０から広告情報を取り出し、広告情報記憶手段４１２に蓄積した後、カード端末へ応答し、また、カード端末からの通知情報が利用者情報である場合にはユーザ情報処理手段４１４によりユーザ情報記憶手段４１５に記憶する。
【０１８２】
また、月末などに広告料金算出手段４１３により広告料金を算出し、広告主へ通知する。
さらには、上記ユーザ情報記憶手段４１５に記憶されたユーザ情報を利用してマーケティング処理手段４１６により店毎の利用者の統計情報、例えば利用者の性別、年代などを統計処理し、これを広告主からの要求によりマーケティング情報として提供する。
【０１８３】
図３５は、カード端末における端末固有処理を示すフローチャートであり、図８のメインフローチャートのステップＳ３のサブルーチンに対応する。
【０１８４】
カード端末４０４は買い物カード４０１が挿入されるとこれを検知し、カード情報読取手段４０７にて媒体情報を読み込み後、以下に述べる端末固有の処理を行う。
【０１８５】
まず、ステップＳ１３１で情報記憶表示媒体が買い物カードであるかを判定し、買い物カードであった場合には、ステップＳ１３２で利用者情報を抽出する。また、情報記憶表示媒体が買い物カードでない場合にはステップＳ１３５でエラー処理を行って本サブルーチンを終了する。
【０１８６】
次いで、ステップＳ１３３で買い物情報を抽出し、ステップＳ１３４で購入店舗情報、購入品、購入金額情報を記憶して本サブルーチンを終了してメインフロー（図８）に戻る。
【０１８７】
図８のメインフローに戻って、端末固有処理（図３５）を終了すると、ステップＳ４でエラーの有無を判別し、エラーがあった場合には終了し、有効終了の場合には、ステップＳ５で媒体情報すなわち利用者情報として性別、年齢などの情報を、また、上記の端末設置店舗情報、購入品、購入金額情報などの情報を媒体情報管理装置４１０へ通知する。次いで、ステップＳ６で情報通知の最後を示す終了通知を通知する。
【０１８８】
買い物カード端末からの情報通知の後、情報管理装置４１０からの応答情報処理（ステップＳ７）を実行する。
【０１８９】
カード端末からの情報通知の後、ステップＳ７で情報管理装置４１０からの応答情報処理（図１０）を実行する。この応答情報処理は、図１０で説明した通りであるが、カード端末としての応答情報処理の観点から再び説明する。
【０１９０】
図１０の応答情報処理において、まず、ステップＳ２１で情報管理装置４１０からの応答情報を読み込み、ステップＳ２２で応答情報が広告情報であるか判別する。
【０１９１】
応答情報が広告情報の場合、ステップＳ２３で応答情報を読み込み、ステップＳ２４で媒体の広告情報の書き換えを行って、次の応答情報を読み込むためにステップＳ２１に戻る。
【０１９２】
応答情報が広告情報でない場合には、ステップＳ２５で応答情報が媒体記憶情報であるかを判別し、媒体記憶情報である場合には、ステップＳ２６で媒体記憶情報を読み込み、ステップＳ２７で更新処理を行った後、次の応答情報を読み込むためステップＳ２１に戻る。
【０１９３】
応答情報が媒体記憶情報でもない場合には、ステップＳ２８で終了応答か否かを判別し、終了応答である場合には処理を終了し、終了応答ではない場合には不要な応答を読み飛ばしてメインフロー（図８）戻る。
【０１９４】
図８に戻って、上記応答情報処理（ステップＳ７）を終了すると、ステップＳ８で媒体の掃き出し処理を行ってメインフローの処理を終了する。
【０１９５】
一方、情報管理装置４１０における処理は、図１１の処理とほぼ同じである。すなわち、情報管理装置４１０では、広告情報選択手段４１１により、まず通知情報処理（ステップＳ３１）を実行する。この通知情報処理の詳細は、上述した第１の実施の形態の改札機の場合と同様なため、説明を省略する。
【０１９６】
通知情報処理（ステップＳ３１）が終了すると、ステップＳ３２で月末処理を実行するか否かを判別し、月末処理が必要な場合には、ステップＳ３３で広告料金算出手段４１３により広告料金算出処理を実行し、ステップＳ３４で処理結果に基づく広告料金を広告主サーバへ通知する。
【０１９７】
広告主サーバは、この場合名店舗の保有するパーソナルコンピュータによる広告情報データベース４１８，４１９，４２０と同じであることから、料金通知はこれらデータベースに対して通知される。
【０１９８】
月末処理が必要でない場合には、ステップＳ３５でマーケティング情報要求があるかどうかを判別し、マーケティング情報要求がある場合には、ステップＳ３６でマーケティング処理手段４１６によりマーケティング情報処理を実行する。マーケティング情報要求は、上記広告主サーバすなわち広告情報データベース４１８，４１９，４２０からの要求通知に基づき、マーケティング情報記憶手段４１７に記憶された情報がネットワーク４２３を介して広告主サーバへ応答される。
【０１９９】
また、情報管理装置４１０における通知情報処理は、図１２のステップＳ４４及びステップＳ４８が、それぞれ図３６の広告選択処理、図３７の通知情報抽出処理に置き換えて実行される。
【０２００】
図３６は、カード端末をクライアントとした広告選択処理を示すフローチャートであり、図１２のステップＳ４４のサブルーチンに対応する。
【０２０１】
広告選択処理では、まず、ステップＳ１４１でカード端末へ買い物カードを挿入したカード保有者の氏名などの利用者情報を抽出し、ステップＳ１４２で利用店、利用金額情報を抽出する。次いで、ステップＳ１４３で現表示広告番号を抽出し、ステップＳ１４３で現広告番号の次に選択する広告番号を算出し、ステップＳ１４４で図３２の広告情報テーブル３３から更新広告情報を選択する。次いで、ステップＳ１４５でネットワーク４２３に接続された広告主の広告情報データベース４１８，４１９，４２０から広告情報を読み出し、端末への応答広告情報として広告情報記憶手段４１２に記憶する。
【０２０２】
次いで、ステップＳ１４６で上記抽出情報から図３０の利用状況テーブル３１を更新し、ステップＳ１４７で図３１の利用者管理テーブル３２の今月利用回数、利用金額を更新し、ステップＳ１４８で利用金額に応じたポイントを加算する。
【０２０３】
次いで、ステップＳ１４９で図３０の利用状況テーブル３１における現広告番号と利用店が一致した際には利用ポイントをさらに加算する。
【０２０４】
これら利用ポイントは、一定ポイント取得後に商店街の提供する商品と交換できる。また、ポイントを利用者が購入金額から割引を受けられるようにしてもよい。
【０２０５】
次いで、ステップＳ１５０で後述する広告効果算出に利用するため図３３の広告利用回数テーブル３４を更新し、ステップＳ１５１で利用ポイントを応答情報として記憶して本サブルーチンを終え図１２のフローに戻る。
【０２０６】
図１２の広告選択処理（ステップＳ４４）が終了すると、ステップＳ４５で広告情報及び応答情報をカード端末へ応答する。
【０２０７】
また、図１２のステップＳ４７における広告履歴情報処理（図１４）は、本実施の形態の場合は次のような処理となる。
【０２０８】
図１４において、まず、ステップＳ６１で更新した広告情報を抽出し、ステップＳ６２で広告更新回数を計数する。次いで、ステップＳ６３で広告料金算出手段４１３により後述する広告料金算出処理やマーケティング情報処理における広告履歴情報として利用するため、広告掲載履歴として記憶して図１２のサブルーチンに戻る。
【０２０９】
図３７は、買い物入場端末をクライアントとした通知情報抽出処理を示すフローチャートであり、図１２のステップＳ４８のサブルーチンに対応する。
【０２１０】
通知情報が買い物情報でなければ、ステップＳ１２３で通知情報が利用者情報であるかを判別し、通知情報が利用者情報である場合には、ステップＳ１２４でこの通知情報を利用者情報として記憶すると共に、ユーザ情報処理手段３１４によってユーザ情報記憶手段３１５に利用者情報として記憶される。
【０２１１】
通知情報抽出処理では、ステップＳ１６１で通知情報が利用店情報であるかどうかを判別し、通知情報が利用店情報であれば、ステップＳ１６２で通知情報を利用店情報として記憶して本サブルーチンを終了する。
【０２１２】
通知情報が利用店情報でなければ、ステップＳ１６３で通知情報が利用金額情報であるかを判別し、通知情報が利用金額情報である場合には、ステップＳ１６４で利用金額情報として記憶して本サブルーチンを終了する。
【０２１３】
上記ステップＳ１６３で通知情報が利用金額情報である場合には、ステップＳ１６５で通知情報が利用者情報であるかを判別し、通知情報が利用者情報である場合には、ステップＳ１６６でこの通知情報を利用者情報として記憶すると共に、ユーザ情報処理手段４１４によってユーザ情報記憶手段４１５に利用者情報として記憶される。
【０２１４】
次に、買い物カードにおける広告料金算出処理について説明する。
情報管理装置４１０における広告料金算出処理は、図１６で説明した通りであるが、買い物カード端末としての広告料金算出処理の観点からいま一度説明する。
【０２１５】
広告料金算出処理（ステップＳ３３）では、まず、ステップＳ８１で図１４で述べた広告掲載履歴処理による広告履歴情報を抽出し、ステップＳ８２でその広告更新回数を抽出する。次いで、ステップＳ８３で広告効果情報を抽出し、ステップＳ８４で上記広告更新回数及び広告効果情報を用いて広告料金を算出して本サブルーチンを終え図１１のフローに戻る。
【０２１６】
上記広告更新回数及び広告効果情報を用いて広告料を算出する方法について説明する。広告料算出方法は、図１７で述べた定期券処理おける広告料金算出とほぼ同じであり、一部説明を省略する。
【０２１７】
広告更新回数のみの更新回数広告料は、更新回数を５００回、１件５０円として２５，０００円となる。
【０２１８】
また、広告効果のみの広告効果広告料は、効果単価を１，０００円、効果係数が５０として５０，０００円となる。
【０２１９】
さらには、相関広告料は、相関による料金を１００円とし、２５，０００円となる。
以上の各金額を合計して、１００，０００円が広告料として算出される。
【０２２０】
上述した例では、買い物カードに表示している広告の店舗を利用することで割引サービスを実現しているが、広告の更新回数を計数できることを利用して、広告を更新した店舗でも割引サービスを提供するようにしてもよい。以下、広告の更新回数を計数できることを利用して広告料を利用者に還元する例について説明する。
【０２２１】
例えば、広告主の店舗が、広告料として前記算出手段により広告更新料と広告効果広告料を支払っていた場合、広告更新料は１００円×更新回数であったとする。
【０２２２】
この１００円のうち５０円は、広告更新時、つまり利用者がカードを利用して買い物をした際に料金の割引額となる。さらにこの場合、広告情報管理装置４１０から利用者が利用している店舗の端末に割引許可が通知され、広告情報管理装置４１０に記録される。このような構成とすることでカード利用者の増加を見込めるだけではなく、一端末を設置した店舗へ広告料の一部を還元することも実現でき、端末設置店舗の増加を見込める。
【０２２３】
次に、買い物カードにおけるマーケティング情報処理について説明する。
情報管理装置４１０におけるマーケティング情報処理は、図１８で説明した通りであるが、買い物カード端末としてのマーケティング情報処理の観点から再び説明する。
【０２２４】
マーケティング処理手段４１６により実行されるマーケティング情報処理（図１１のステップＳ３６）では、まず、ステップＳ９１で利用者情報を抽出し、ステップＳ９２で利用者が大人か子供かなどの個人情報を抽出する。次いで、ステップＳ９３で広告履歴情報を抽出し、ステップＳ９４で統計処理を実行する。
【０２２５】
この統計処理は、利用店情報及び利用者情報から、例えば店毎の利用者数状況や広告表示時の利用状況などを統計処理し、広告効果を算出することも可能である。
【０２２６】
統計処理の結果は、ステップＳ９５でマーケティング処理手段４１６によりマーケティング情報記憶手段４１７に記憶して処理を終えメインフロー（図１１）に戻る。また、マーケティング情報は、前記マーケティング情報要求に従って入場処理サーバ４２１に通知される。
【０２２７】
ここで、上記各実施の形態においては、更新される広告を唯一選択することとしたが、同一の条件で更新される広告は複数でもよいことは言うまでもない。また、同一の条件で複数の広告を選択した場合には、端末もしくは情報管理装置内における乱数発生装置によって選択する構成としてもよく、さらに、広告料金などの契約に応じて広告掲載の割合を反映させる構成としてもよい。
【０２２８】
また、上記各実施の形態においては、利用者の個人情報を情報記憶表示媒体から読み出す構成を例にとり説明したが、情報記憶表示媒体からは媒体固有の情報、例えばカードＩＤを読み出し、前記個人情報は情報管理装置内で管理する構成としてもよい。
【０２２９】
なお、本発明の広告表示管理システムは、上述の実施の形態に限定されるものではなく、本発明の要旨を逸脱しない範囲内において種々変更を加え得ることは勿論である。例えば、上述したようなネットワークサーバに適用することもできるが、これには限定されず、全てのシステムに適用可能である。
【０２３０】
また、本実施の形態では広告表示管理システムという名称を用いたが、これは説明の便宜上であり、広告システム、広告表示システム、カード発行装置等であってもよい。
【０２３１】
また、本各実施の形態では、情報端末を、専用端末、コンピュータ、携帯情報端末に適用した例について述べたが、情報を提供又は取得する情報処理装置はどのようなものであってもよい。ＰＤＡ等の携帯情報端末やパーソナルコンピュータのデータ通信機能として組み込まれたものでもよく、また、記憶情報の種類はどのようなものでもよい。
【０２３２】
さらに、上記サーバ、クライアントを構成するシステムの制御装置、記憶装置等の種類、データベースに記憶されるデータの種類などは前述した実施形態に限られない。
【０２３３】
以上説明した広告表示管理システムでは、この処理装置を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読取装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０２３４】
ここで、上記プログラムメディアは、本体と分離可能に構成される記録媒体であり、例えばＰＣカード（ステップＳＲＡＭカード）のほか、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０２３５】
また、本実施の形態においては、インターネットを含む通信ネットワークを接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用のプログラムは予め本体装置に格納しておくか、あるいは別な記録媒体からインストールされるものであってもよい。また、記録媒体に格納されている内容としてはプログラムに限定されず、データであってもよい。
【図面の簡単な説明】
【０２３６】
【図１】本発明の第１の実施の形態の広告表示管理システムの構成を示す図である。
【図２】本実施の形態の広告表示管理システムを、定期券及び改札機端末並びに情報管理装置のシステム構成に適用した例を示す図である。
【図３】本実施の形態の広告表示管理システムの情報管理装置に記憶される時刻・個人情報テーブルを示す図である。
【図４】本実施の形態の広告表示管理システムの情報管理装置に記憶される端末設置情報テーブルを示す図である。
【図５】本実施の形態の広告表示管理システムの情報管理装置に記憶される広告種別テーブルを示す図である。
【図６】本実施の形態の広告表示管理システムの情報管理装置に記憶される中吊り広告情報テーブルを示す図である。
【図７】本実施の形態の広告表示管理システムの定期券の表示例を示す図である。
【図８】本実施の形態の広告表示管理システムの端末における処理を示すメインフローチャートである。
【図９】本実施の形態の広告表示管理システムの改札機端末における端末固有処理を示すフローチャートである。
【図１０】本実施の形態の広告表示管理システムの改札機端末における端末応答情報処理を示すフローチャートである。
【図１１】本実施の形態の広告表示管理システムの情報管理装置における処理を示すメインフローチャートである。
【図１２】本実施の形態の広告表示管理システムの情報管理装置における通知情報処理を示すフローチャートである。
【図１３】本実施の形態の広告表示管理システムの改札機端末をクライアントとした広告選択処理を示すフローチャートである。
【図１４】本実施の形態の広告表示管理システムの改札機端末をクライアントとした広告履歴情報処理を示すフローチャートである。
【図１５】本実施の形態の広告表示管理システムの改札機端末をクライアントとした通知情報抽出処理を示すフローチャートである。
【図１６】本実施の形態の広告表示管理システムの情報管理装置における広告料金算出処理を示すフローチャートである。
【図１７】本実施の形態の広告表示管理システムの広告料算出モデルを示す図である。
【図１８】本実施の形態の広告表示管理システムの情報管理装置におけるマーケティング情報処理を示すフローチャートである。
【図１９】本発明の第２の実施の形態の広告表示管理システムの構成を示す図である。
【図２０】本実施の形態の広告表示管理システムの情報管理装置に記憶されるアトラクション位置情報テーブルを示す図である。
【図２１】本実施の形態の広告表示管理システムの情報管理装置に記憶されるアトラクション待ち時間テーブルを示す図である。
【図２２】本実施の形態の広告表示管理システムの情報管理装置に記憶されるアトラクション広告テーブルを示す図である。
【図２３】本実施の形態の広告表示管理システムの情報管理装置に記憶されるイベント情報テーブルを示す図である。
【図２４】本実施の形態の広告表示管理システムのアトラクション配置位置を示す図である。
【図２５】本実施の形態の広告表示管理システムのアトラクションチケットの表示例を示す図である。
【図２６】本実施の形態の広告表示管理システムのアトラクション入場端末における端末固有処理を示すフローチャートである。
【図２７】本実施の形態の広告表示管理システムのアトラクション入場端末をクライアントとした広告選択処理を示すフローチャートである。
【図２８】本実施の形態の広告表示管理システムのアトラクション入場端末をクライアントとした通知情報抽出処理を示すフローチャートである。
【図２９】本発明の第３の実施の形態の広告表示管理システムの構成を示す図である。
【図３０】本実施の形態の広告表示管理システムの情報管理装置に記憶される利用状況テーブルを示す図である。
【図３１】本実施の形態の広告表示管理システムの情報管理装置に記憶される利用者管理テーブル３２を示す図である。
【図３２】本実施の形態の広告表示管理システムの情報管理装置に記憶される広告情報テーブルを示す図である。
【図３３】本実施の形態の広告表示管理システムの情報管理装置に記憶される広告利用回数テーブルを示す図である。
【図３４】本実施の形態の広告表示管理システムの買い物カードの表示例を示す図である。
【図３５】本実施の形態の広告表示管理システムのカード端末における端末固有処理を示すフローチャートである。
【図３６】本実施の形態の広告表示管理システムのカード端末をクライアントとした広告選択処理を示すフローチャートである。
【図３７】本実施の形態の広告表示管理システムのアトラクション入場端末をクライアントとした通知情報抽出処理を示すフローチャートである。
【符号の説明】
【０２３７】
１１  時刻・個人情報テーブル
１２  端末設置情報テーブル
１３  広告種別テーブル
１４  中吊り広告情報テーブル
２１  アトラクション位置情報テーブル
２２  アトラクション待ち時間テーブル
２３  アトラクション広告テーブル
２４  イベント情報テーブル
３１  利用状況テーブル
３２  利用者管理テーブル
３３  広告情報テーブル
３４  広告利用回数テーブル
１０１，１０２，１０３  情報記憶表示媒体（可搬記憶媒体）
１０４，１０５，１０６  端末
１１０，２１０，３１０，４１０  情報管理装置
１１１，２１１，３１１，４１１  広告情報選択手段
１１２，２１２，３１２，４１２  広告情報記憶手段
１１３，２１３，３１３，４１３  広告料金算出手段
１１４，２１４，３１４，４１４  ユーザ情報処理手段
１１５，２１５，３１５，４１５  ユーザ情報記憶手段
１１６，２１６，３１６，４１６  マーケティング処理手段
１１７，２１７，３１７，４１７  マーケティング情報記憶手段
１１８，１１９，１２０，１２１，２１８，２１９，２２０，３１８，３１９，３２０，４１８，４１９，４２０  広告情報データベース（広告情報記憶手段）
１２２，１２３，２２２，２２３，３２２，３２３，４２２，４２３  ネットワーク
２０１，２０２，２０３  定期券（可搬記憶媒体）
２０１ａ  広告表示領域（広告情報を表示可能な表示部）
２０４，２０５，２０６  改札機端末
２１８，２１９，２２０  広告情報データベース
２２１  改札処理サーバ
３０１，３０２，３０３  アトラクションチケット（可搬記憶媒体）
３０１ａ  広告表示領域（広告情報を表示可能な表示部）
３０４，３０５，３０６  アトラクション入場端末
３２１  入場処理サーバ
４０１，４０２，４０３  買い物カード（可搬記憶媒体）
４０１ａ  広告表示領域（広告情報を表示可能な表示部）
４０４，４０５，４０６  買い物カード端末
４２１  入場処理サーバ
【図１】
2009032268.tif 000003
【図２】
2009032268.tif 000004
【図３】
2009032268.tif 000005
【図４】
2009032268.tif 000006
【図５】
2009032268.tif 000007
【図６】
2009032268.tif 000008
【図７】
2009032268.tif 000009
【図８】
2009032268.tif 000010
【図９】
2009032268.tif 000011
【図１０】
2009032268.tif 000012
【図１１】
2009032268.tif 000013
【図１２】
2009032268.tif 000014
【図１３】
2009032268.tif 000015
【図１４】
2009032268.tif 000016
【図１５】
2009032268.tif 000017
【図１６】
2009032268.tif 000018
【図１７】
2009032268.tif 000019
【図１８】
2009032268.tif 000020
【図１９】
2009032268.tif 000021
【図２０】
2009032268.tif 000022
【図２１】
2009032268.tif 000023
【図２２】
2009032268.tif 000024
【図２３】
2009032268.tif 000025
【図２４】
2009032268.tif 000026
【図２５】
2009032268.tif 000027
【図２６】
2009032268.tif 000028
【図２７】
2009032268.tif 000029
【図２８】
2009032268.tif 000030
【図２９】
2009032268.tif 000031
【図３０】
2009032268.tif 000032
【図３１】
2009032268.tif 000033
【図３２】
2009032268.tif 000034
【図３３】
2009032268.tif 000035
【図３４】
2009032268.tif 000036
【図３５】
2009032268.tif 000037
【図３６】
2009032268.tif 000038
【図３７】
2009032268.tif 000039